(57)【特許請求の範囲】
【請求項１】
シンクと、前記シンクに設けられた排水口に接続されたトラップと、前記トラップの下
方に設けられ、前方側から物品を収納可能な収納部を有しているキッチンキャビネットで
あって、
前記トラップは、上流側が前記排水口に接続され、下流側が排水管に接続され、内部に
溜水が貯められるトラップ本体と、
前記排水口に対して着脱可能に設置され、前記溜水内へ一部が挿入させることで前記排
水管からの臭気の立ち上がりを防ぐ防臭筒と、を備え、
前記トラップ本体は、
前記溜水の溜水高さを規制する堰部が後方側に形成され、前記排水口に接続され、前
記排水口より後方側まで広げて形成されており、前記溜水が貯められる容器部と、
前記堰部より上流側、且つ、前記容器部の上方に設けられた天井部と、前記堰部の後
方側に設けられ、前記排水管に接続される接続管部と、を有し、
前記容器部の前記堰部における水平方向の断面積は、前記排水口の開口面積より大きく、
前記容器部は、前記堰部に向かうにつれ上昇している上昇内壁部を有しており、
前記排水管と前記接続管部との接続位置は、前記容器部の底面よりも下方に設けられていることを特徴とするキッチンキャビネット。
【請求項２】
前記接続管部の上側内壁は、後方に向かうにつれ下方に屈曲することなく、且つ、後方
に向かうにつれ下方に傾斜された傾斜部を有することを特徴とする請求項１に記載のキッ
チンキャビネット。
【請求項３】
前記トラップ本体の前記堰部の頂点近傍及び前記堰部の頂点より上流側における流路断
面積のうち、前記堰部の頂点近傍における流路断面積が、最も小さいことを特徴とする請
求項２に記載のキッチンキャビネット。
【請求項４】
前記天井部の最低地点は、前記堰部と略同一の高さの位置、又は、前記堰部より低い位
置に設けられ、前記上昇内壁部の最低地点より高い位置に設けられたことを特徴とする請
求項１〜３の何れか１つに記載のキッチンキャビネット。
【発明の詳細な説明】
【技術分野】
【０００１】
本発明の態様は、一般的に、シンクと、シンクに設けられた排水口に接続されたトラップと、トラップの下方に設けられ、前方側から物品を収納可能な収納部を有しているキッチンキャビネットに関する。
【背景技術】
【０００２】
キッチンキャビネットにおいて、シンクの排水口と排水管との間には、排水管からの臭気の立ち上がりを防ぐための封水を形成するトラップが設置されている。また、マンション等の集合住宅等においては、排水管内の高圧洗浄が定期的に行われるが、排水口に密着するように設置され、トラップ内に溜まった水の中へ一部が挿入させることで排水管からの臭気の立ち上がりを防ぐ防臭筒を、トラップの堰部を有するトラップ本体とは別体に設け、防臭筒を排水口及びトラップ本体から取り外すことによって、洗浄ホースをトラップ本体より下流にある排水管に挿入しやすくするトラップが知られている（例えば特許文献１）。
【０００３】
一方で、キッチンキャビネットにはシンクが設けられ、このシンクの排水口の下方には、（使用者が調理するためにキッチンキャビネットに向かい合って立っている位置がキッチンキャビネットに対して前方側であると定義すると）キッチンキャビネットの前方側から物品を収納可能な収納部が設けられる場合があるが、この際、シンクの排水口の下方にあるトラップに接続された排水管の存在によって、この収納部の前後方向の収納空間を圧迫してしまうという問題がある。この問題を解決するために、キッチンキャビネットにおいては、トラップに接続される排水管を排水口より、より後方側に配置することで、収納部の前後方向の収納空間をより大きく確保することが望ましい。
【０００４】
また、シンクの排水口の下方にある収納部の高さ方向の収納空間をより大きく確保するためにはトラップの高さを出来るだけ小さくすることが望ましいが、トラップの高さを小さくすると、トラップ本体の容器部の高さも小さくなってしまうため、容器部に貯められる水の量も少なくなってしまい、トラップ本体内の封水切れが起こりやすくなってしまう。このような、トラップ本体内の封水切れを防ぐために、容器部の水平方向の断面積をより大きく、即ち、容器部の堰部における水平方向の断面積を排水口の開口面積より大きくすることで、トラップ本体内の封水切れが起こりにくくすることを、出願人は考え出した。
【０００５】
そして、出願人は、容器部の堰部における水平方向の断面積を排水口の開口面積より大きくしつつ、容器部を排水口の後方側まで形成することで、キッチンキャビネット内の空間を有効に利用しつつ、上述したような、排水管を排水口より、より後方側に配置することで収納部の収納空間をより大きく確保しつつトラップ本体内の封水切れが起こりにくくすることができることを、考え出した。
【０００６】
しかし、このように、容器部を排水口より後方側まで形成すると、防臭筒をトラップ本体から取り外した場合であっても、トラップ本体の堰部が見づらく、洗浄ホースをトラップより下流にある排水管に挿入しにくくなってしまう。
本発明は、上述したこれらの課題の認識に基づいてなされたものであり、収納部の収納空間を大きく確保することができ、トラップ本体内の封水切れが起こりにくく、且つ、洗浄ホースを排水管に挿入しやすいトラップが形成されたキッチンキャビネットを提供する。
【先行技術文献】
【特許文献】
【０００７】
【特許文献１】特開２０１１−２４１５９３号公報
【発明の概要】
【発明が解決しようとする課題】
【０００８】
本発明は、かかる課題の認識に基づいてなされたものであり、収納部の収納空間を大きく確保することができ、トラップ本体内の封水切れが起こりにくく、且つ、洗浄ホースを排水管に挿入しやすいトラップが形成されたキッチンキャビネットを提供することを目的とする。
【課題を解決するための手段】
【０００９】
第１の発明は、シンクと、前記シンクに設けられた排水口に接続されたトラップと、前
記トラップの下方に設けられ、前方側から物品を収納可能な収納部を有しているキッチン
キャビネットであって、前記トラップは、上流側が前記排水口に接続され、下流側が排水
管に接続され、内部に溜水が貯められるトラップ本体と、前記排水口に対して着脱可能に
設置され、前記溜水内へ一部が挿入させることで前記排水管からの臭気の立ち上がりを防
ぐ防臭筒と、を備え、前記トラップ本体は、前記溜水の溜水高さを規制する堰部が後方側
に形成され、前記排水口に接続され、前記排水口より後方側まで広げて形成されており、
前記溜水が貯められる容器部と、前記堰部より上流側、且つ、前記容器部の上方に設けら
れた天井部と、前記堰部の後方側に設けられ、前記排水管に接続される接続管部と、を有
し、前記容器部の前記堰部における水平方向の断面積は、前記排水口の開口面積より大き
く、前記容器部は、前記堰部に向かうにつれ上昇している上昇内壁部を有しており、前記排水管と前記接続管部との接続位置は、前記容器部の底面よりも下方に設けられてことを特徴とするキッチンキャビネットである。
【００１０】
このキッチンキャビネットによれば、トラップ本体の容器部の堰部における水平方向の断面積は排水口の開口面積より大きいため、トラップ本体の高さが低いものであっても、容器部に設けられた溜水の水量を確保することができ、トラップ内の封水切れを起こりにくくできる。即ち、容器部に設けられた溜水の水量を確保しても、収納部の高さ方向の収納空間を圧迫することがない。
また、このキッチンキャビネットによれば、容器部を排水口より後方側まで広げて形成することで、容器部より後方側に設けられる排水管を排水口より、より後方側に配置できるため、収納部の前後方向の収納空間をより大きく確保することができる。
さらに、本発明によれば、容器部の堰部における水平方向の断面積を排水口の開口面積より大きくしつつ、容器部を排水口の後方側まで形成したため、キッチンキャビネット内の空間を有効に利用しつつ、上述したような、排水管を排水口より、より後方側に配置することで収納部の収納空間をより大きく確保しつつトラップ本体内の封水切れが起こりにくくすることができる。
また、このキッチンキャビネットによれば、容器部は、堰部に向かうにつれ上昇している上昇内壁部を有しているため、防臭筒を排水口から取り外し、洗浄ホースを底面部から堰部に向かうにつれ上昇している上昇内壁部に当接させ進入させることで、洗浄ホースを排水管に挿入しやすくすることができる。
以上のことから、このキッチンキャビネットによれば、収納部の収納空間を大きく確保することができ、トラップ内の封水切れが起こりにくく、且つ、洗浄ホースを排水管に挿入しやすいトラップが形成されたキッチンキャビネットを提供できる。
【００１１】
第２の発明は、第１の発明において、前記接続管部の上側内壁は、後方に向かうにつれ下方に屈曲することなく、且つ、後方に向かうにつれ下方に傾斜された傾斜部を有することを特徴とするキッチンキャビネットである。
【００１２】
このキッチンキャビネットによれば、接続管部の上側内壁は、後方に向かうにつれ下方に屈曲することなく、且つ、後方に向かうにつれ下方に傾斜された傾斜部を有するため、堰部より下流側に先端が達した洗浄ホースを傾斜部に当接させることでさらに下流側へ進入させることができ、洗浄ホースをより排水管へ挿入しやすくなる。
【００１３】
第３の発明は、第２の発明において、前記トラップ本体の前記堰部の頂点近傍及び前記堰部の頂点より上流側における流路断面積のうち、前記堰部の頂点における流路断面積が、最も小さいことを特徴とするキッチンキャビネットである。
【００１４】
このキッチンキャビネットによれば、トラップ本体の堰部の頂点近傍及び堰部の頂点より上流側における流路断面積のうち、堰部の頂点近傍における流路断面積が最も小さいため、排水口から堰部までの洗浄ホースの挿入のしやすさを確保しつつ、トラップ本体の堰部の頂点近傍における流路断面積を小さく絞ることで、洗浄ホースが暴れることなく、傾斜部に洗浄ホースを確実に当接させることができ、洗浄ホースを排水管へより確実に挿入しやすくなる。なお、堰部の頂点より上流側における流路断面積の一部が、堰部の頂点における流路断面積と同じ大きさであっても、本発明の権利範囲に含まれるものである。
【００１５】
第４の発明は、第１〜３の何れか１つの発明において、前記天井部の最低地点は、前記堰部と略同一の高さの位置、又は、前記堰部より低い位置に設けられ、前記上昇内壁部の最低地点より高い位置に設けられたことを特徴とするキッチンキャビネットである。
【００１６】
このキッチンキャビネットによれば、天井部の最低地点は、前記堰部と略同一の高さの位置、又は、前記堰部より低い位置に設けられている。天井部の最低地点が堰部より低い位置にある場合には、防臭筒を取り外した際にも、堰部まで形成された溜水によって、悪臭が排水口から放出されてしまうことを防ぐことができる。また、天井部の最低地点が堰部と略同一の高さの位置にある場合にも、堰部まで形成された溜水の表面が天井部と当接する状態が表面張力によって維持されるため、同様に、悪臭が排水口から放出されてしまうことを防ぐことができる。加えて、天井部の最低地点は上昇部の最低地点より高いため、排水口から挿入させた洗浄ホースを上昇内壁部へ容易に当接させることができ、洗浄ホースを排水管へ挿入しやすくできる。
【発明の効果】
【００１７】
本発明の態様によれば、収納部の収納空間を大きく確保することができ、トラップ本体内の封水切れが起こりにくく、且つ、洗浄ホースを排水管に挿入しやすいトラップが形成されたキッチンキャビネットを提供することができる。
【図面の簡単な説明】
【００１８】
【図１】本発明の一実施形態に係るキッチンキャビネットが設置されたキッチンを示す模式的斜視図である。
【図２】図１のキッチンキャビネットにおけるシンク付近を示す模式的平面図である。
【図３】図１のキッチンキャビネットにおけるトラップ本体を示す模式的側面図である。
【図４】図１のキッチンキャビネットを示す模式的断面図である。
【図５】図４のキッチンキャビネットにおける、排水口付近の模式的断面図である。
【図６】図４のキッチンキャビネットにおいて、排水口からトラップ本体内に洗浄ホースが挿入された状態を示す模式的断面図である。
【図７】図４のキッチンキャビネットにおいて、排水口からトラップ本体内に洗浄ホースが挿入された状態を示す模式的断面図である。
【図８】図４のキッチンキャビネットにおいて、排水口からトラップ本体内に洗浄ホースが挿入された状態を示す模式的断面図である。
【図９】図４のキッチンキャビネットにおいて、排水口からトラップ本体内に洗浄ホースが挿入された状態を示す模式的断面図である。
【図１０】図３のトラップにおける模式的Ｇ−Ｇ断面図である。
【図１１】図３のトラップにおける模式的Ｈ−Ｈ断面図である。
【図１２】図３のトラップにおける模式的Ｉ−Ｉ断面図である。
【図１３】図３のトラップにおける模式的Ｊ−Ｊ断面図である。
【図１４】従来のトラップを示す模式的断面図である。
【発明を実施するための形態】
【００１９】
以下、本発明の実施の形態について図面を参照しつつ説明する。なお、各図面中、同様の構成要素には同一の符号を付して詳細な説明は適宜省略する。
また、本発明において、使用者が調理するためにキッチンキャビネットに向かって立っている位置が、キッチンキャビネットに対する「前方側」であると定義する。
【００２０】
図１は、本発明の一実施形態に係るキッチンキャビネット１１０が設置されたキッチン１００を示す模式的斜視図である。図２は、図１のキッチンキャビネット１１０におけるシンク１付近を示す模式的平面図である。図３は、図１のキッチンキャビネットにおけるトラップ本体を示す模式的側面図である。図４は、図１のキッチンキャビネットを示す模式的断面図である。図５は、図４のキッチンキャビネットにおける、排水口付近の模式的断面図である。
【００２１】
図１及び２に示すように、キッチン１００は、キッチンキャビネット１１０、及び、キッチンキャビネット１１０の上方に設置されたウォールキャビネット１２０を備えている。キッチンキャビネット１１０は、キッチン１００の床面に戴置されたフロアキャビネット１と、フロアキャビネット１の上に戴置されたカウンター２と、カウンター２の下に設置されたシンク４及びキッチンコンロ６と、シンク４へ向かって水を吐出することができる水栓装置８と、を備えている。
【００２２】
フロアキャビネット１は、キッチンコンロ６の下方に設けられたコンロ側下引出し１０と、キッチンコンロ６とシンク４との間のカウンター２下に設けられた中央側上引出し１２及び中央側下引出し１４と、シンク４の前方に設けられたシンク側上引出し１６と、シンク４の下方に設けられたシンク側下引出し（収納部）１８と、を備えている。コンロ側下引出し１０、中央側上引出し１２、中央側下引出し１４、シンク側上引出し１６、及び、シンク側下引出し１８には、それぞれの前板に設置された取手２０が設けられている。キッチンキャビネット１１０の前方側に位置する使用者が、取手２０を前方側へ引き寄せることで、それぞれの引出しの内部へ前方側から物品を収納可能である。なお、フロアキャビネット１は一体の箱体で形成されても良いし、キッチンコンロ６側、キッチンコンロ６とシンク４との間の中央側、シンク４側において、それぞれ別体の箱体で形成されても良い。
なお、本実施形態におけるシンク側下引出し１８は、内引出し１９も含むものとする。
【００２３】
水栓装置８は、シンク４のデッキ２２の上に設置されている。デッキ２２は、シンクの底面であるシンク底面２４より高い位置に設置されている。シンクの排水部である排水口２４は、シンク底面２４に設けられ、平面視において、デッキ２２より前方側に設置されている。排水口２６には、排水口２６を隠蔽する排水口蓋２８が設置されている。
【００２４】
図３〜５に示すように、排水口２６には、封水が形成されるトラップ３０が接続される。トラップ３０は、内部に溜水が貯められるトラップ本体３２と、溜水内へ一部が挿入させることで排水管３４からの臭気の立ち上がりを防ぐ防臭筒３６と、トラップ本体３２を排水口２６に接続するためのフランジ部材３８、ナット４０、クイックファスナー４２と、を備えている。トラップ本体３２、防臭筒３６、クイックファスナー４２は、例えば樹脂製である。ナット４０は、例えば金属製である。
【００２５】
トラップ本体３２は、上流側が排水口２６にフランジ部材３８及びナット４０を介して接続され、下流側が排水管３４に接続される。防臭筒３６は、排水口２６に対して着脱可能に設置される。フランジ部材３８は、一端側が排水口の上端に係止され、他端側が排水口２６からトラップ本体３２の内部へ挿入されている。フランジ部材３８の他端側は、螺子加工されている。ナット４０は、排水口２６の下方からフランジ部材３８の他端側に向かって挿入され、フランジ部材３８の他端側に螺合される。このことにより、フランジ部材３８の一端側とナット４０によって、排水口２６が上下から挟み込まれ、フランジ部材３８及びナット４０が、排水口２６に対して固定されている。ナット４０の下面には、トラップ本体３２の接続フランジ部４４の上面が、向かい合うように配置されている。クイックファスナー４２は、ナット４０及び接続フランジ部４４を挟み込むように、ナット４０及び接続フランジ部４４に接続され、トラップ本体３２がナット４０から外れないようにする役割を有している。フランジ部材３８の外周面には、ゴム製のＯリング４６が周設されている。Ｏリング４６は、フランジ部材３８とトラップ本体３２との間に配設されており、フランジ部材３８及びトラップ本体３２に密着していることで、トラップ３０の内部の水密性を保っている。防臭筒３６は、上端がフランジ部材３８に当接することで、トラップ本体３２内の溜水内へ一部が挿入された状態で、排水口２６に対して設置されている。
【００２６】
トラップ本体３２は、排水口２６に接続され、溜水の溜水高さを規制する堰部５０が設けられ、排水口２６より後方側まで広げて形成されており、溜水が貯められる容器部４８と、堰部５０より上流側、且つ、容器部４８の上方に設けられた天井部５２と、堰部５０の後方側に設けられ、排水管３４に接続される接続管部５４と、を有している。堰部５０は容器部４８の後方側に設けられている。なお、日本工業規格（ＪＩＳ規格）において、トラップの封水高さは、５０〜１００ミリメートル（ｍｍ）以内と定められているが、本実施形態の堰部５０によって規制される溜水高さは、例えば、約５０ｍｍであり、ＪＩＳ規格によって定められた封水高さのミニマム値になるように形成されている。このことにより、トラップ本体３２自体の高さもできるだけ小さくすることができ、トラップ本体３２の下方の収納空間をより大きく確保することができる。天井部５２の最低地点は、堰部５０と略同一の高さの位置に設けられている。このことより、防臭筒３６を取り外した際にも、堰部５０まで形成された溜水によって、悪臭が排水口２６から放出されてしまうことを防ぐことができる。ここで、「略同一の高さ」は、堰部５０まで形成された溜水の表面が天井部５２と当接する状態が表面張力によって維持される高さであれば良く、例えば、天井部５２の最低地点と堰部５０との高さの差分が５ｍｍ以内のものと定義する。なお、天井部５２の最低地点が、堰部５０より５ｍｍ高い位置に設けられた場合にも、堰部５０まで形成された溜水の表面が天井部５２と当接する状態が表面張力によって維持されるため、同様に、悪臭が排水口２６から放出されてしまうことを防ぐことができる。
【００２７】
容器部４８の堰部５０における水平方向の断面積は、排水口２６の開口面積より大きい。例えば、本実施形態においては、容器部４８の左右方向の長さは、排水口２６の左右方向の開口長さと、ほぼ同じ長さであるが、容器部４８のある高さにおける前後方向の長さＡは、排水口２６の左右方向の開口長さより、大きい。このことより、容器部４８の高さも小さくなってしまった場合でも、トラップ本体３２内の溜水の水量を確保できるため、トラップ３０における封水切れが早期に起こってしまうことを抑制できる。また、容器部４８は、排水口２６より後方側まで形成されており、容器部４８の後方側に堰部５０、堰部５０の後方側に接続管部５４、がそれぞれ設けられる構成となっているため、フロアキャビネット１内の空間を有効に利用しつつ、接続管部５４に接続される排水管３４を、フロアキャビネット１の後方側に配置することができる。
【００２８】
図１４は、従来のトラップを示す模式的断面図である。図１４に示すように、従来のトラップ２００は、排水管３４と従来のトラップ２００の前端との間の距離がＬ１である。一方、図３に示すように、本発明の一実施形態におけるトラップ３０のトラップ本体３２は、排水管３４とトラップ本体３２の前端との間の距離がＬ１＋Ｌ２である。即ち、本発明の一実施形態におけるトラップ３０においては、従来のトラップ２００と比べ、排水管３４よりＬ２だけ前方に離れた位置の排水口２６に、接続可能である。言い換えると、本発明の一実施形態におけるトラップ３０においては、従来のトラップ２００と比べ、排水口２６よりＬ２だけ後方に離れた位置の排水管３４に、接続可能である。
また、本実施形態においては、防臭筒３６の開口面積は、図１４に示す従来のトラップ２００に接続される防臭筒３７の開口面積と略同一であるため、容器部４８の堰部５０における水平方向の断面積を排水口２６の開口面積より大きくした場合であっても、排水口２６に設置された防臭筒３６から蒸発してしまうトラップ本体３２内の溜水の蒸発量は変わらない。したがって、容器部４８の堰部５０における水平方向の断面積を排水口２６の開口面積より大きくした場合であっても、その分排水口２６外へ放出される溜水の蒸発量が増加してしまうことを防ぎ、トラップ３０における封水切れが早期に起こってしまうことを抑制できる。なお、排水管３４及び排水管３４より下流側の管路は下水道に繋がっていることから、トラップ本体３２の堰部５０より下流側は常に湿度が高いものであるため、堰部５０側から排水管３４へ放出される溜水の蒸発量は、防臭筒３６から排水口２６外へ放出される溜水の蒸発量に比べ、極めて少ないものである。
【００２９】
容器部４８は、容器部４８の底面である底面部５６と、底面部５６から堰部５０に向かうにつれ上昇している上昇内壁部５８を有している。底面部５６は、屈曲することなく、略水平な面状に形成されている。このことより、シンク側下引出し１９の高さ方向の収納空間を圧迫することなく、できるだけトラップ本体３２内の溜水の水量を確保できるため、トラップ３０における封水切れが早期に起こってしまうことを抑制できる。ここで、「略水平」は、底面部５６の最高点の下方近傍にシンク側下引出し１９が配置されていた場合にも、底面部５６がシンク側下引出し１９の収納空間を圧迫しないものであれば良く、例えば、水平面に対する勾配が５度以下のものと定義する。
上昇内壁部５８は、図１０、１１に示すように、底面部５６から堰部５０に向かうにつれ上方に屈曲することなく、上方に面状に傾斜している。この上昇内壁部５８の役割は、後に詳述する。
【００３０】
接続管部５４の上側内壁は、後方に向かうにつれ下方に屈曲することなく、且つ、後方に向かうにつれ下方に傾斜された傾斜部６０を有する。傾斜部６０は、図１３に示すように、後方に向かうにつれ下方に屈曲することなく、下方に面状に傾斜している。この傾斜部６０の役割は、後に詳述する。
【００３１】
図６〜９は、図４のキッチンキャビネットにおいて、排水口からトラップ本体内に洗浄ホースが挿入された状態を示す模式的断面図である。これらの図を用いて、洗浄ホース６２の排水口２６から排水管３４までの挿入動作を説明する。
【００３２】
図６に示すように、まず、排水口２６から洗浄ホース６２の先端を挿入するために、排水口２６から防臭筒３６を取り外す。より詳述すると、トラップ本体３２から防臭筒３６を取り外す。次に、排水口２６からトラップ本体３２の底面部５６に向けて洗浄ホース６２の先端を挿入させる。底面部５６は、上述したように、屈曲することなく、略水平な面状に形成されているため、洗浄ホース６２の先端が当接した際にも、底面部５６は、少ない洗浄ホース６２の挿入距離で、洗浄ホース６２の先端を上昇内壁部５８まで誘導させることができる。
【００３３】
なお、使用者の好みによって、洗浄ホース６２の先端を底面部５６に当接させるのではなく、洗浄ホース６２の先端を、底面部５６を介さず、上昇内壁部５８に当接させても良い。この際、本実施形態における天井部５２は、図５に示したように、上昇内壁部５８の最低地点より高い位置に設けられているため、洗浄ホース６２の先端を上昇内壁部５８へ容易に当接させることができる。
【００３４】
洗浄ホース６２の先端が上昇内壁部５８まで達した状態でさらに洗浄ホース６２の先端をトラップ本体３２内の下流側へ進入させると、洗浄ホース６２の先端は、上昇内壁部５８に沿って、堰部５０まで誘導される。上昇内壁部５８は、上述したように、面状に傾斜された底面部５６から堰部５０に向かうにつれ屈曲することなく、面状に傾斜しているため、底面部５６に当接した状態でさらに洗浄ホース６２の先端をトラップ本体３２内の下流側へ進入させることで上昇内壁部５８まで誘導された洗浄ホース６２の先端を、確実に堰部５０まで誘導させることができる。
【００３５】
図７に示すように、洗浄ホース６２の先端が堰部５０まで達した状態でさらに洗浄ホース６２の先端をトラップ本体３２内の下流側へ進入させると、洗浄ホース６２の先端は、堰部５０を乗り越え、傾斜部６０に当接する。
【００３６】
図８に示すように、洗浄ホース６２の先端が傾斜部６０に当接した状態でさらに洗浄ホース６２の先端をトラップ本体３２内の奥、即ち下流側へ進入させると、洗浄ホース６２の先端は、傾斜部６０の傾斜に沿って下方へ移動する。
【００３７】
図９に示すように、図８に示した状態から、さらに洗浄ホース６２の先端をトラップ本体３２内の下流側へ進入させると、洗浄ホース６２の先端は排水管３４に挿入される。その後、さらに洗浄ホース６２の先端を排水管３４の下流側へ進入させることによって、排水管３４の奥まで洗浄ホース６２の先端を進入させることができ、排水管内の高圧洗浄を行うことができる。
【００３８】
図１０は、図３のトラップにおける模式的Ｇ−Ｇ断面図である。図１１は、図３のトラップにおける模式的Ｈ−Ｈ断面図である。図１２は、図３のトラップにおける模式的Ｉ−Ｉ断面図である。図１３は、図３のトラップにおける模式的Ｊ−Ｊ断面図である。
【００３９】
図１０〜１２に示すように、堰部５０の頂点における流路断面積Ｓ３は、上昇内壁部５８における流路断面積Ｓ１より小さい。また、堰部５０の頂点近傍における流路断面積Ｓ２は、上昇内壁部５８における流路断面積Ｓ１より小さい。なお、図示は省略するが、本実施形態において、堰部５０の頂点における流路断面積Ｓ３及び堰部５０の頂点近傍における流路断面積Ｓ２は、堰部５０の頂点より上流側における流路断面積のうち、最も小さい流路断面積の１つである。ここで、「流路断面積」とは、例えば、トラップ本体３２内に水が充満したしたときに、充満した水が接続フランジ部４４から排水管３４へ向かって流れる方向に対するそれぞれの位置での垂直断面積であり、それぞれの位置におけるトラップ本体３２の内壁によって規定される内周断面積であると定義する。
このことより、排水口２６から堰部５０までの洗浄ホース６２の先端の挿入のしやすさを確保しつつ、堰部５０の頂点近傍における流路断面積を小さく絞ることで、洗浄ホース６２の先端が暴れることなく、傾斜部６０に洗浄ホース６２の先端を確実に当接させることができ、洗浄ホース６２の先端を排水管３４へより確実に挿入しやすくなる。また、堰部５０の頂点近傍における流路断面積を小さく絞ることで、トラップ本体３２内へ水を流した際に、サイフォン現象を起こしやすくすることができ、容易に容器部４８内の溜水を排水管３４へ排出することができる。
【００４０】
以上、本発明の一実施形態について説明した。しかし、本発明はこれらの記述に限定されるものではない。
【００４１】
本発明の一実施形態において、天井部５２の最低地点を堰部５０と略同一の高さの位置としたが、本発明はそれに限らず、天井部５２の最低地点が堰部５０より低い位置に設けられるものであっても良い。
【００４２】
本発明の一実施形態において、上昇内壁部５８は底面部５６から堰部５０に向かうにつれ上方に屈曲することなく、上方に面状に傾斜しているものとしたが、本発明はそれに限らず、堰部５０に向かうにつれ上方に屈曲することなく上方に傾斜しているものであれば良い。ここで、本発明のおける「堰部５０に向かうにつれ上方に屈曲することなく上方に傾斜しているもの」とは、側断面図において、堰部５０に向かうにつれ上方に略直線状に傾斜しているものを指す。
【００４３】
本発明の一実施形態において、傾斜部６０は後方に向かうにつれ下方に屈曲することなく、下方に面状に傾斜しているものとしたが、本発明はそれに限らず、後方に向かうにつれ下方に屈曲することなく下方に傾斜しているものであれば良い。ここで、本発明のおける「後方に向かうにつれ下方に屈曲することなく下方に傾斜しているもの」とは、側断面図において、後方に向かうにつれ下方に略直線状に傾斜しているものを指す。
【００４４】
前述の実施の形態に関して、当業者が適宜設計変更を加えたものも、本発明の特徴を備えている限り、本発明の範囲に包含される。例えば、キッチン１００などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４５】
１ フロアキャビネット、  ２ カウンター、  ４ シンク、  ６ コンロ、  ８ 水栓装置、  １０ コンロ側下引出し、  １２ 中央側上引出し、  １４ 中央側下引出し、  １６ シンク側上引出し、  １８ シンク側下引出し、  １９ 内引出し、  ２０ 取手、  ２２ デッキ、  ２４ シンク底面、  ２６ 排水口、  ２８ 排水口蓋、  ３０ トラップ、  ３２ トラップ本体、  ３４ 排水管、  ３６、３７ 防臭筒、  ３８ フランジ部材、  ４０ ナット、  ４２ クイックファスナー、  ４４ 接続フランジ部、  ４６ Ｏリング、  ４８ 容器部、  ５０ 堰部、  ５２ 天井部、  ５４ 接続管部、  ５６ 底面部、  ５８ 上昇内壁部、  ６０ 傾斜部、  ６２ 洗浄ホース、  １００ キッチン、  １１０ キッチンキャビネット、  １２０ ウォールキャビネット、  ２００ 従来のトラップ
【図１】
0006692520.tif 000002
【図２】
0006692520.tif 000003
【図３】
0006692520.tif 000004
【図４】
0006692520.tif 000005
【図５】
0006692520.tif 000006
【図６】
0006692520.tif 000007
【図７】
0006692520.tif 000008
【図８】
0006692520.tif 000009
【図９】
0006692520.tif 000010
【図１０】
0006692520.tif 000011
【図１１】
0006692520.tif 000012
【図１２】
0006692520.tif 000013
【図１３】
0006692520.tif 000014
【図１４】
0006692520.tif 000015